(57)【特許請求の範囲】
【請求項１】
天井(10b)又は壁面に取付けられるバー本体(19)と、前記バー本体(19)の一方の側部にその一方の側部から突出して設けられたスクリーン固定部材(18)と、前記バー本体(19)に回転可能に取付けられた巻き取りロッド(13)と、前記巻き取りロッド(13)に一端が固定されて前記巻き取りロッド(13)から垂下し錘本体(17)で折り返されて他端が前記スクリーン固定部材(18)に固定されたスクリーン(16)とを備えたロールブラインドであって、
前記スクリーン(16)の他端が前記スクリーン固定部材(18)の内部に前記スクリーン(16)の長さを調整し得るように収容され、かつ前記スクリーン固定部材(18)は前記バー本体(19)の一方の側部に揺動可能に前記バー本体(19)の全長に亘って設けられたことを特徴とするロールブラインド。
【請求項２】
スクリーン固定部材(18)に長手方向に断面Ｃ字状の座溝(21)が形成され、
前記座溝(21)の横断面における一方の側部を覆って断面Ｃ字状を構成する一方の係止片(21a)の幅(m)が前記一方の係止片(21a)に対向しかつ前記座溝(21)の横断面における他方に側部を覆って断面Ｃ字状を構成する他方の係止片(21b)の幅(n)より小さく形成され、
横断面が長方形状、長円形状又は楕円形状を成す取付ロッド(22)にスクリーン(16)の他端が巻回された状態で前記取付ロッド(22)とともに前記スクリーン(16)の他端が前記座溝(21)に収容され、
前記一方の係止片(21a)と前記他方の係止片(21b)の間隔(H)と前記一方の係止片(21a)の幅(m)の和(H＋m)が前記取付ロッド(22)の横断面における長径(Y)より小さく形成され、
前記取付ロッド(22)の横断面における前記スクリーン(16)の巻回側側部が前記一方の側部に収容された状態で前記取付ロッド(22)の横断面における前記スクリーン(16)の引き出し側側部が前記他方の係止片(21b)に当接して前記スクリーン(16)の他端が前記スクリーン固定部材(18)の内部に収容された請求項１記載のロールブラインド。
【請求項３】
一方の係止片(21a)と他方の係止片(21b)の間隔(H)を介してスクリーン(16)の他端が巻回された取付ロッド(22)を挿脱できるように前記間隔(H)が前記取付ロッド(22)の横断面における短径(X)より大きく形成され、
前記取付ロッド(22)の横断面における前記スクリーン(16)の引き出し側側部が前記
座溝(21)の他方の側部に収容された状態で前記取付ロッド(22)の横断面における前記スクリーン(16)の巻回側側部が前記間隔(H)を介して挿脱できるように前記間隔(H)と前記他方の係止片(21b)の幅(n)の和(H＋n)が前記取付ロッド(22)の横断面における長径(Y)より大きく形成された請求項２記載のロールブラインド。
【請求項４】
一端が座溝(21)の底壁に固着され他端が一方の係止片(21a)と他方の係止片(21b)との間隔(H)から前記座溝(21)の外部に引き出された離脱テープ(24)が前記座溝(21)の一方の側部内面に設けられ、
他端を引っ張ることにより伸長する前記離脱テープ(24)は前記座溝(21)の一方の側部に収容された取付ロッド(22)の横断面におけるスクリーン(16)の巻回側側部を前記他方の係止片(21b)と前記一方の係止片(21a)との間隔(H)から離脱する方向に移動させる請求項３記載のロールブラインド。
【請求項５】
一方の係止片(21a)と他方の係止片(21b)との間隔(H)を狭めるカバー部材(26)が前記一方の係止片(21a)に離脱可能に取付けられ、
前記一方の係止片(21a)に取付けられた前記カバー部材(26)と前記他方の係止片(21b)との間隔(h)と前記他方の係止片(21b)の幅(n)の和(h＋n)が前記取付ロッド(22)の横断面における長径(Y)より小さくなる請求項３又は４記載のロールブラインド。
【発明の詳細な説明】
【技術分野】
【０００１】
本発明は、巻き取りロッドに一端が固定されてその巻き取りロッドから垂下した後に折り返されて他端が巻き取りロッド近傍に設けられたスクリーン固定部材に固定されたスクリーンを備えたロールブラインドに関するものである。
【背景技術】
【０００２】
従来、ロールブラインドとして、天井又は壁面に取付けられる上方端部支持バーと、その支持バーの両端に対向して配置されたブラケットの対と、その支持バーに沿って設けられ一対のブラケットに両端が枢支された巻き取りロッドと、その巻き取りロッドの端部に設けられたスプロケットと、そのスプロケットに吊下されてそのスプロケットとともに巻き取りロッドを回転させる調整コードと、折り返されて一端が巻き取りロッドに固定され他端が上方端部支持バーに固定されるように設けられたスクリーンと、そのスクリーンの下方の折り返し端部に設けられてそのスクリーンをしっかりと引張させる錘本体とを備えたものが知られている（例えば、特許文献１参照。）。
【０００３】
このロールブラインドにおける支持バー及び巻き取りロッドにはそれらの長手方向に断面Ｃ字状の座溝が全長に亘って形成される。この座溝は断面がＣ字状であることから狭められた開口部に比較して幅の広い奥行きを有する断面が円形又は方形に形成され、この座溝に挿入可能であるけれども開口部から引き抜き不能な取付ロッドがスクリーンの端部に逢着される。そして、そのスクリーンの端部とともにその取付ロッドを支持バー又は巻き取りロッドの長手方向のそれらの端縁から座溝に挿入して、スクリーンを開口部から引き出すことにより支持バー又は巻き取りロッドの周囲にスクリーンの端部を固定している。
【０００４】
そして、このロールブラインドにおけるスクリーンには透明部分と不透明部分が交互に配置され、このようなスクリーンを折り返すことにより前後にスクリーンを重ね合わせた状態で垂直に吊り下げることができる。そして、調整コードを操作して巻き取りロッドを回転させると前後に重ね合わされたスクリーンの巻き取りロッドに端部が固定された一方が他方のスクリーンに対して移動する。このようにして、前後に重ね合わされたスクリーンの透明部分と不透明部分を前後において整列させ、或いはそれらをずらすことによって、室内への採光を調整することができるようになっている。
【特許文献１】特開２００６−２９０７２号公報（段落番号［００５２］、［００５６］、［００５７］、図４、図５）
【発明の開示】
【発明が解決しようとする課題】
【０００５】
しかし、上記従来のロールブラインドでは、取付ける場所に基づいて必要な長さのスクリーンを予めの支持バー及び巻き取りロッドに取付けておくけれども、そのロールブラインドを取付けた後において、その長さが足りなくなったり、また、その長さが長すぎる場合も生じる。この場合には、支持バー及び巻き取りロッドからそのスクリーンを取り外し、最適な長さのスクリーンに取り換えなければならず、その長さの調整が煩雑である不具合があった。
【０００６】
また、そのスクリーンの取り外しに関しても、壁面や天井等に取付けたロールブラインドを一旦取り外して、座溝からそこに挿入されたスクリーンの端部とともに取付ロッドを支持バー又は巻き取りロッドの長手方向にずらして取り外すことを必要とし、その取り外しに関しても著しい手間を必要としていた。
本発明の目的は、スクリーンの長さの調整が容易なロールブラインドを提供することにある。
本発明の別の目的は、座溝に対するスクリーン端部の固定及び取り外しが比較的容易なロールブラインドを提供することにある。
【課題を解決するための手段】
【０００７】
請求項１に係る発明は、図４に示すように、天井１０ｂ又は壁面に取付けられるバー本体１９と、バー本体１９の一方の側部にその一方の側部から突出して設けられたスクリーン固定部材１８と、バー本体１９に回転可能に取付けられた巻き取りロッド１３と、巻き取りロッド１３に一端が固定されて巻き取りロッド１３から垂下し錘本体１７で折り返されて他端がスクリーン固定部材１８に固定されたスクリーン１６とを備えたロールブラインドである。
その特徴ある構成は、図１に詳しく示すように、スクリーン１６の他端がスクリーン固定部材１８の内部にスクリーン１６の長さを調整し得るように収容され、かつスクリーン固定部材１８がバー本体１９の一方の側部に揺動可能にバー本体１９の全長に亘って設けられたところにある。
この請求項１に記載されたロールブラインドでは、スクリーン１６の長さが足りなくなったり又はその長さが長すぎた場合には、スクリーン固定部材１８の内部にそのスクリーン１６の他端を収容し又はそのスクリーン固定部材１８の内部からスクリーン１６の他端を引き出すことによりその長さを調整することができる。
【０００８】
更にこの請求項１に記載されたロールブラインドでは、スクリーン固定部材１８を揺動可能にすることにより、図４に示すようにバー本体１９を天井１０ｂに取付けた場合と、図６に示すようにバー本体１９を壁面に取付けた場合におけるスクリーン固定部材１８のバー本体１９に対する角度を変更することができる。これにより他端が収容されたスクリーン１６をスクリーン固定部材１８から自然に垂下させて外観上の見栄えを向上させることができる。
【０００９】
請求項２に係る発明は、請求項１に係る発明であって、図１に示すように、スクリーン固定部材１８に長手方向に断面Ｃ字状の座溝２１が形成され、座溝２１の横断面における一方の側部を覆って断面Ｃ字状を構成する一方の係止片２１ａの幅ｍが一方の係止片２１ａに対向しかつ座溝２１の横断面における他方に側部を覆って断面Ｃ字状を構成する他方の係止片２１ｂの幅ｎより小さく形成され、横断面が長方形状、長円形状又は楕円形状を成す取付ロッド２２にスクリーン１６の他端が巻回された状態で取付ロッド２２とともにスクリーン１６の他端が座溝２１に収容され、一方の係止片２１ａと他方の係止片２１ｂの間隔Ｈと一方の係止片２１ａの幅ｍの和（Ｈ＋ｍ）が取付ロッド２２の横断面における長径Ｙより小さく形成され、取付ロッド２２の横断面におけるスクリーン１６の巻回側側部が一方の側部に収容された状態で取付ロッド２２の横断面におけるスクリーン１６の引き出し側側部が他方の係止片２１ｂに当接してスクリーン１６の他端がスクリーン固定部材１８の内部に収容されたことを特徴とする。
【００１０】
この請求項２に記載されたロールブラインドでは、スクリーン１６の他端が取付ロッド２２に巻回された状態で取付ロッド２２とともに座溝２１に収容されるので、スクリーン１６の長さが足りなくなったり又はその長さが長すぎた場合には、取付ロッド２２に対するスクリーン１６の巻回回数を増減させることによりスクリーンの全長の長さを調整することができる。一方、取付ロッド２２が座溝２１に収容された状態で、取付ロッド２２の横断面におけるスクリーン１６の引き出し側側部は他方の係止片２１ｂに当接するので、その取付ロッド２２が座溝２１の内部で回転するようなことはなく、取付ロッド２２が回転することによるスクリーン１６の長さの変動を防止することができる。
【００１１】
請求項３に係る発明は、請求項２に係る発明であって、更に図２に示すように、一方の係止片２１ａと他方の係止片２１ｂの間隔Ｈを介してスクリーン１６の他端が巻回された取付ロッド２２を挿脱できるように間隔Ｈが取付ロッド２２の横断面における短径Ｘより大きく形成され、取付ロッド２２の横断面におけるスクリーン１６の引き出し側側部が座溝２１の他方の側部に収容された状態で取付ロッド２２の横断面におけるスクリーン１６の巻回側側部が間隔Ｈを介して挿脱できるように間隔Ｈと他方の係止片２１ｂの幅ｎの和（Ｈ＋ｎ）が取付ロッド２２の横断面における長径Ｙより大きく形成されたことを特徴とする。
【００１２】
この請求項３に記載されたロールブラインドでは、取付ロッド２２の横断面におけるスクリーン１６の引き出し側側部を間隔Ｈから座溝２１の内部に挿入してその引き出し側側部を座溝２１の他方の側部に収容し、その状態で取付ロッド２２の横断面におけるスクリーン１６の巻回側側部を間隔Ｈから座溝２１内部に挿入することによりスクリーン１６の他端を座溝２１に比較的容易に収容して固定することができる。
一方、取付ロッド２２の引き出し側側部を座溝２１の他方の側部に収容させ、その状態で取付ロッド２２の巻回側側部を間隔Ｈを介して座溝２１から引き出すことにより、スクリーン１６の他端を座溝２１から取り外すことができる。よって、スクリーンの他端の固定に際して、従来必要であった取付ロッドを支持バー又は巻き取りロッドの長手方向にずらすようなことは必要としない。このため、座溝２１に対するスクリーン１６端部の固定及び取り外しを従来に比較して容易にすることができる。
【００１３】
請求項４に係る発明は、請求項３に記載された発明であって、一端が座溝２１の底壁に固着され他端が一方の係止片２１ａと他方の係止片２１ｂとの間隔Ｈから座溝２１の外部に引き出された離脱テープ２４が座溝２１の一方の側部内面に設けられ、他端を引っ張ることにより伸長する離脱テープ２４は座溝２１の一方の側部に収容された取付ロッド２２の横断面におけるスクリーン１６の巻回側側部を他方の係止片２１ｂと一方の係止片２１ａとの間隔Ｈから離脱する方向に移動させることを特徴とする。
この請求項４に記載されたロールブラインドでは、離脱テープ２４の他端を引っ張るだけの比較的簡単な作業でスクリーン１６の巻回側側部を他方の係止片２１ｂと一方の係止片２１ａとの間隔Ｈから離脱する方向に移動させることができる。このため、スクリーン１６の他端を座溝２１から取り外すことを更に容易にすることができる。
【００１４】
請求項５に係る発明は、請求項３又は４に係る発明であって、一方の係止片２１ａと他方の係止片２１ｂとの間隔Ｈを狭めるカバー部材２６が一方の係止片２１ａに離脱可能に取付けられ、一方の係止片２１ａに取付けられたカバー部材２６と他方の係止片２１ｂとの間隔ｈと他方の係止片２１ｂの幅ｎの和（ｈ＋ｎ）が取付ロッド２２の横断面における長径Ｙより小さくなることを特徴とする。
この請求項５に記載されたロールブラインドでは、取付ロッド２２の引き出し側側部を座溝２１の他方の側部に収容させても、カバー部材２６の存在により、取付ロッド２２の巻回側側部を一方の係止片２１ａと他方の係止片２１ｂとの間隔Ｈから離脱させることができない。このため、スクリーン１６の他端が通常の使用状態において座溝２１から外れることを防止することができる。
【発明の効果】
【００１５】
本発明のロールブラインドでは、スクリーンの他端をスクリーン固定部材の内部にスクリーンの長さを調整し得るように収容するので、スクリーンの長さが足りなくなったり又はその長さが長すぎた場合には、スクリーン固定部材の内部にそのスクリーンの他端を収容し又はそのスクリーン固定部材の内部からスクリーンの他端を引き出すことによりその長さを調整することができる。特に、スクリーンの他端を取付ロッドに巻回された状態で取付ロッドとともに座溝に収容して固定するようにすれば、取付ロッドに対するスクリーンの巻回回数を増減させることによりスクリーンの全長の長さを比較的容易に調整することができる。そして、取付ロッドの横断面におけるスクリーンの引き出し側側部が座溝の他方の側部に収容された状態で取付ロッドの横断面におけるスクリーンの巻回側側部が間隔を介して挿脱可能とすることにより、スクリーンの他端の座溝に対する固定及び取り外しを比較的容易に行うことができる。
【００１６】
この場合、一端が座溝の底壁に固着され他端が一方の係止片と他方の係止片との間隔から座溝の外部に引き出された離脱テープを座溝の一方の側部内面に設ければ、その離脱テープの他端を引っ張って伸長させるだけの比較的簡単な作用でスクリーンの他端を座溝から容易に取り外すことができる。
一方、カバー部材を一方の係止片に離脱可能に取付ければ、そのカバー部材と他方の係止片との間隔と他方の係止片の幅の和が取付ロッドの横断面における長径より小さくなることを条件として、スクリーンの他端が通常の使用状態において座溝から外れることを有効に防止することができる。
【発明を実施するための最良の形態】
【００１７】
次に本発明を実施するための最良の形態を図面に基づいて説明する。
図４及び図５に示すように、ロールブラインド１０は、天井１０ｂ又は壁面に取付ブラケット１０ａ（図４）を介して取付けられる上方端部支持バー１１と、その支持バー１１の両端に対向して配置された一対の支持ブラケット１２，１２と、その一対の支持ブラケット１２，１２に両端が枢支されて支持バー１１に沿う巻き取りロッド１３とを備える。この実施の形態における上方端部支持バー１１は、天井１０ｂ又は壁面に取付ブラケット１０ａを介して直接的に取付けられるバー本体１９と、そのバー本体１９の一方の側部にその一方の側部から突出して設けられたスクリーン固定部材１８とを有する。図４に示すブラケット１０ａは天井１０ｂに取付ねじ１０ｃにより取付けられる場合を示し、このブラケット１０ａがバー本体１９を両側から係止することにより天井１０ｂにこのバー本体１９を固定するように構成される。
【００１８】
上方端部支持バー１１を構成するスクリーン固定部材１８とバー本体１９はそれぞれ樹脂又は金属の押出成型品であって、バー本体１９の長手方向の両端部に樹脂成型品からなる支持ブラケット１２，１２が嵌着される。そのバー本体１９の両端に対向して配置された一対の支持ブラケット１２，１２には、図示しないクラッチ装置を介して巻き取りロッド１３の両端が枢支される。この巻き取りロッド１３は断面円形の筒状部材からなり、その巻き取りロッド１３の一方の端部にはスプロケット１５（図５）が設けられる。そして、そのスプロケット１５にはそのスプロケット１５とともに巻き取りロッド１３を回転させる調整コード１４（図５）が掛け回される。
【００１９】
また、このロールブラインド１０は、所定幅の透光部１６ａと不透光部１６ｂとが上下方向に交互に連続して形成されたスクリーン１６を備える。透光部１６ａは、光を透過可能なことを意味し、透明及び半透明の双方を含むものであり、生地の組成や編成を粗にすることにより通風も可能とされる。一方、不透光部１６ｂは、光を透過不能なことを意味し、生地にアルミ等から成る金属箔を貼り付けることや、繊維の密度を上げることにより作られる。なお、透光部１６ａと不透光部１６ｂは上下に交互に規則的に連続して形成されるものであれば、図５に示す横に伸びる平行模様を表すものに限らず、市松状又は千鳥状に透光部１６ａと不透光部１６ｂを配列しても良い。そして、このスクリーン１６は、折り返されて一端が巻き取りロッド１３に固定され、他端が上方端部支持バー１１におけるスクリーン固定部材１８にスクリーン１６の長さを調整し得るように収容される。そして、そのスクリーン１６の下方の折り返し端部にはそのスクリーン１６をしっかりと引張させる錘本体１７が設けられる。
【００２０】
支持バー１１を構成するバー本体１９の一方の側部には、狭められて側方に開口する開口部に比較して幅の広い奥行きを有する断面が円形に形成された凹溝１９ａが長手方向に連続してその全長に亘って形成される。スクリーン固定部材１８は、この凹溝１９ａに挿入可能であるけれどもその凹溝１９ａの開口部から引き抜き不能な断面円形のロッド部１８ａと、座溝２１が形成された固定部本体１８ｂと、凹溝１９ａの開口部に介在して凹溝１９ａの内部に挿入されたロッド部１８ａと凹溝１９ａの外部に存在する固定部本体１８ｂとを連結する連結部１８ｃとを有する。このスクリーン固定部材１８は押出成形により作られ、バー本体１９と略同一の長さに形成される。そして、凹溝１９ａの開口部に連結部１８ｃを挿通させるようにロッド部１８ａをバー本体１９の長手方向の端縁から凹溝１９ａに挿入することにより、スクリーン固定部材１８はバー本体１９の一方の側部から突出し、かつそのバー本体１９にその断面において揺動可能に取付けられる。
【００２１】
凹溝１９ａは断面円形であり、そこに挿入されるロッド部１８ａも断面円形であるので、そのロッド部１８ａと固定部本体１８ｂを連結する連結部１８ｃはそのロッド部１８ａを中心として固定部本体１８ｂとともに揺動可能に構成される。そして、凹溝１９ａの開口部の両側にはそのロッド部１８ａを中心とするスクリーン固定部材１８の揺動範囲を制限する揺動規制片１９ｂ，１９ｃが形成される。揺動規制片１９ｂ，１９ｃには、ロッド部１８ａと固定部本体１８ｂを連結する連結部１８ｃが当接することによりスクリーン固定部材１８の揺動範囲が制限されるように構成され、図１に示すように、一方の揺動規制片１９ｂに連結部１８ｃが当接した状態で、その断面において巻き取りロッド１３を覆うようにバー本体１９と所定の角度で傾斜するように構成される。一方、他方の揺動規制片１９ｃに連結部１８ｃが当接すると、図６に示すように、その断面においてバー本体１９と並んでそのバー本体１９とこのスクリーン固定部材１８が同一平面上に存在するように構成される。
【００２２】
この固定部材１８の固定部本体１８ｂに形成される座溝２１は、開口部の両側に座溝２１の両側部を覆うような係止片２１ａ，２１ｂを有することによりその断面がＣ字状に形成され、この断面Ｃ字状の座溝２１は固定部材１８の長手方向の全長に亘って形成される。そして、この座溝２１に取付ロッド２２を介してスクリーン１６の他端が固定される。取付ロッド２２は横断面が長方形状、長円形状又は楕円形状を成す棒状部材であって、この実施の形態では、横断面が長方形状を有する取付ロッド２２を代表して説明する。図１に示す取付ロッド２２は所定の厚さと幅を有する長尺の金属板であって、その厚さが断面における長方形状の短径Ｘに相当し、その幅が断面における長方形状の長径Ｙに相当するものである。そして固定部本体１８ｂに形成される座溝２１は、図２に示すように、その取付ロッド２２の横断面における長径Ｙより大きな幅Ｗと取付ロッド２２の横断面における短径Ｘより大きな深さＤを有するように形成される。一方、この座溝２１の深さＤは取付ロッド２２の横断面における長径Ｙより小さく形成され、これによりこの座溝２１に収容された取付ロッド２２はその内部で回転することが防止される。
【００２３】
また、この座溝２１の横断面における断面Ｃ字状を構成する一方の係止片２１ａの幅ｍは、それに対向する他方の係止片２１ｂの幅ｎより小さく形成される。即ち、この座溝２１の横断面は断面Ｃ字状を構成するものであるけれども、その座溝２１の一方の側部を覆って断面Ｃ字状を構成する一方の係止片２１ａの幅ｍは、その一方の係止片２１ａに対向しかつ座溝２１の横断面における他方に側部を覆って断面Ｃ字状を構成する他方の係止片２１ｂの幅ｎより小さく形成されることを要件とする。そして、スクリーン１６の他端は取付ロッド２２に巻回され、その状態でその取付ロッド２２とともに座溝２１に収容される。
【００２４】
図３に、取付ロッド２２にスクリーン１６の他端を巻回する手順を説明する。即ち、取付ロッド２２の一方の平板面にスクリーン１６の他端を貼り付ける。図３（ａ）には両面粘着テープ２３により貼り付ける場合を例示するけれども、この接着は接着剤を用いて行っても良い。その後、取付ロッド２２を回転させることにより取付ロッド２２にスクリーン１６の他端を巻回させる。そして、図３（ｂ）に取付ロッド２２を１回転させた状態を示し、図３（ｃ）に１．５回転させた状態を示し、図３（ｄ）に２回転させた状態を示す。すると、取付ロッド２２の両側部は、その取付ロッド２２の巻回されたスクリーン１６が折り返されて両平面にそのスクリーン１６が密着するように折り返された側の側部と、取付ロッド２２の側部において折り返されたスクリーン１６がその後取付ロッド２２から離間していく側の側部を有する。そして、この明細書では、折り返されて両平面にそのスクリーン１６が密着する側の側部を、取付ロッド２２の横断面におけるスクリーン１６の巻回側側部と言い、取付ロッド２２の側部において折り返されたスクリーン１６がその後取付ロッド２２から離間していく側の側部を、取付ロッド２２の横断面におけるスクリーン１６の引き出し側側部と言うものとする。
【００２５】
図２に戻って、他方の係止片２１ｂと一方の係止片２１ａの間隔Ｈと一方の係止片２１ａの幅ｍの和（Ｈ＋ｍ）は取付ロッド２２の横断面における長径Ｙより小さく形成される。これにより、図１及び図２（ｅ）に示すように、取付ロッド２２の横断面におけるスクリーン１６の巻回側側部が座溝２１における一方の側部に収容された状態で、取付ロッド２２の横断面におけるスクリーン１６の引き出し側側部は、スクリーン１６が引っ張られることにより他方の係止片２１ｂに当接するように構成される。
【００２６】
また、座溝２１における他方の係止片２１ｂと一方の係止片２１ａの間隔Ｈは取付ロッド２２の横断面における短径Ｘより大きく形成される。これにより、図２（ａ）に示すように、その他方の係止片２１ｂと一方の係止片２１ａとの間隔Ｈを介してスクリーン１６の他端が巻回された取付ロッド２２を座溝２１に挿脱可能に構成される。そして、他方の係止片２１ｂと一方の係止片２１ａとの間隔Ｈと他方の係止片２１ｂの幅ｎの和（Ｈ＋ｎ）は、取付ロッド２２の横断面における長径Ｙより大きく形成される。これにより、図２（ａ）及び（ｂ）に示すように、取付ロッド２２の横断面におけるスクリーン１６の引き出し側側部が座溝２１の他方の側部に収容された状態で、取付ロッド２２の横断面におけるスクリーン１６の巻回側側部が他方の係止片２１ｂと一方の係止片２１ａとの間隔Ｈを介して挿脱できるように構成される。
【００２７】
また、座溝２１の一方の側部内面には離脱テープ２４が設けられる。この離脱テープ２４は、他方の係止片２１ｂにより覆われる側の座溝２１における底壁に一端が固着され他端が他方の係止片２１ｂと一方の係止片２１ａとの間隔Ｈからその座溝２１の外部に引き出されるように設けられる。このため、この離脱テープ２４の他端を引っ張ると、その離脱テープ２４は伸長することになり、この伸長する離脱テープ２４は、図２（ｂ）の破線矢印で示すように、座溝２１の一方の側部に収容された取付ロッド２２の横断面におけるスクリーン１６の巻回側側部を押し戻し、その巻回側側部を他方の係止片２１ｂと一方の係止片２１ａとの間隔Ｈから離脱する方向に移動させるように構成される、
また、スクリーン１６の他端が巻回された取付ロッド２２が座溝２１に収容された状態で、一方の係止片２１ａには、その一方の係止片２１ａと他方の係止片２１ｂとの間隔Ｈを狭めるカバー部材２６が離脱可能に取付けられる。図２（ｄ）〜（ｆ）に詳しく示すように、このカバー部材２６は一対の挟持片２６ａ，２６ｂを連結片２６ｃで連結する断面Ｕ字状に形成され、一対の挟持片２６ａ，２６ｂの間に一方の係止片２１ａを挿入させることによりその一方の係止片２１ａに取付けられ、一対の挟持片２６ａ，２６ｂの間からその一方の係止片２１ａを離脱させることによりその一方の係止片２１ａからカバー部材２６を離脱可能に構成される。そして、このカバー部材２６は、図２（ｆ）に示すように、一方の係止片２１ａに取付けられた状態で、そのカバー部材２６と他方の係止片２１ｂとの間隔ｈと他方の係止片２１ｂの幅ｎの和（ｈ＋ｎ）が取付ロッド２２の横断面における長径Ｙより小さくなるように構成される。
【００２８】
図１に戻って、スクリーン１６の一端は巻き取りロッド１３に固定される。即ち、巻き取りロッド１３の外周の一部にはその長手方向に断面Ｃ字状の座溝１３ａが全長に亘って形成される。この座溝１３ａは狭められた開口部に比較して幅の広い奥行きを有する断面が円弧状に湾曲する長方形に形成されてその断面が湾曲したＣ字状に形成される。一方、この座溝１３ａに挿入可能であるけれども開口部から引き抜き不能な平板部材１３ｂがスクリーン１６の端部に逢着される。そして、そのスクリーン１６の一端とともにその平板部材１３ｂを巻き取りロッド１３の長手方向の端縁からその座溝１３ａに挿入して、スクリーン１６を座溝１３ａにおける開口部から引き出すことにより巻き取りロッド１３の周囲にスクリーン１６の端部を固定している。
【００２９】
図４に示すように、巻き取りロッド１３にはスクリーンの一端側における端部が巻回され、その巻き取りロッド１３に巻回されないスクリーン１６の残部はその下端で折り返され、そのスクリーン１６の下方の折り返し端部に設けられた錘本体１７によりそのスクリーン１６はしっかりと引張られ、前後にスクリーン１６を重ね合わせた状態で垂直に吊り下げられる。ここで、バー本体１９の一方の側部からスクリーン固定部材１８を突出させたので、スクリーン固定部材１８に固定されたスクリーンの他端と、巻き取りロッド１３に固定されたスクリーンの一端との間隔は広がり、前後に所定の間隔をあけて重ね合わせた状態でそのスクリーン１６を垂直に吊り下げることができる。そして、調整コード１４を操作して巻き取りロッド１３を回転させると前後に重ね合わされたスクリーン１６の内の巻き取りロッド１３に端部が固定された一方が他方のスクリーン１６に対して移動し、そのスクリーン１６の透明部分と不透明部分を整列させる或いはずらすことによって、室内の採光を調整することができるように構成される。
【００３０】
次に、このような構成のロールブラインドにおけるスクリーンの取付け及び取り外し並びにその長さの調整について説明する。
最初に、スクリーン１６の他端を支持バー１１に固定する手順を説明する。この実施の形態では、支持バー１１がバー本体１９とスクリーン固定部材１８とを有し、この固定部材１８にスクリーン１６の他端が固定される。そして、固定部材１８にスクリーン１６を固定するために、先ず、取付ロッド２２にスクリーン１６の他端を巻回させる。即ち、図３（ａ）に示すように、取付ロッド２２の一方の平板面にスクリーン１６の他端を両面粘着テープ２３により貼り付ける。その後、取付ロッド２２を回転させることにより取付ロッド２２にスクリーン１６の端部を巻回させる。この実施の形態では、図３（ｃ）に示すように、取付ロッド２２を１．５回転させた状態を通常の状態とし、この状態の取付ロッド２２を座溝２１に収容する。
【００３１】
次に、取付ロッド２２を座溝２１に収容するために、図２（ａ）に示すように、取付ロッド２２の横断面におけるスクリーン１６の引き出し側側部を間隔Ｈから座溝２１の内部に挿入してその引き出し側側部を座溝２１の他方の側部に収容する。図２（ｂ）に示すように、その状態で取付ロッド２２の横断面におけるスクリーン１６の巻回側側部を間隔Ｈから座溝２１内部に挿入する。これにより取付ロッド２２に巻回されたスクリーン１６の他端はその取付ロッド２２とともに座溝２１に収容される。その後、図２（ｃ）に示すように、スクリーン１６を引っ張って取付ロッド２２を図の下方に移動させ、その取付ロッド２２の横断面におけるスクリーン１６の巻回側側部を座溝２１の一方の側部に収容させる。すると、取付ロッド２２の横断面におけるスクリーン１６の引き出し側側部は他方の係止片２１ｂに当接し、その取付ロッド２２が座溝２１の内部で回転するが防止され、これにより固定部材１８にスクリーン１６の一端が固定される。
【００３２】
なお、この実施の形態では、その後一方の係止片２１ａと他方の係止片２１ｂとの間隔Ｈを狭めるカバー部材２６を一方の係止片２１ａに取付ける。この取付けは、カバー部材２６における一対の挟持片２６ａ，２６ｂの間に一方の係止片２１ａを挿入させることにより行われる。すると、取付ロッド２２が座溝２１の内部で移動し、その引き出し側側部が座溝２１の他方の側部に収容するように移動しても、図２（ｆ）に示すように、カバー部材２６の存在により、取付ロッド２２の巻回側側部を一方の係止片２１ａと他方の係止片２１ｂとの間隔Ｈから離脱するようなことはない。このため、スクリーン１６の他端が通常の使用状態において座溝２１から外れることを防止することができる。
【００３３】
一方、このロールブラインド１０を取付けた後において、スクリーン１６の長さが足りなくなったり、また、その長さが長すぎた場合には、そのスクリーン１６の長さを調整する。この調整はスクリーン１６の他端を支持バー１１から取り外した後に行われる。具体的には、先ず、図２（ｄ）に示すように、一対の挟持片２６ａ，２６ｂの間から一方の係止片２１ａを離脱させてカバー部材２６を一方の係止片２１ａから離脱させる。その後、取付ロッド２２の引き出し側側部を座溝２１の他方の側部に収容させ、その状態で取付ロッド２２の巻回側側部を間隔Ｈを介して座溝２１から引き出す。この実施の形態では、一端が座溝２１の底壁に固着され他端が間隔Ｈから座溝２１の外部に引き出された離脱テープ２４を座溝２１の一方の側部内面に設けたので、この離脱テープ２４の他端を引っ張ることによりその離脱テープ２４を伸長させ、伸長する離脱テープ２４により座溝２１の一方の側部に収容された取付ロッド２２の巻回側側部をその間隔Ｈから離脱させる。これにより、スクリーン１６の他端が巻回された取付ロッド２２を座溝２１から取り外す。よって、スクリーンの他端の固定に際して、従来必要であった取付ロッドを支持バー又は巻き取りロッドの長手方向にずらすようなことは必要としない。また、スクリーン固定部材１８を揺動可能としたので、取付ロッド２２を介してスクリーン１６の他端を座溝２１に固定させる際、又はこの取付ロッド２２の座溝２１からの離脱の際に、そのスクリーン固定部材１８に形成された座溝２１の開口部を作業が容易な方向に向けることができる。このため、本発明では、座溝２１に対するスクリーン１６他端の固定及び取り外しを従来に比較して容易にすることができる。
【００３４】
次に、スクリーン１６の他端が巻回された取付ロッド２２を回転させ、取付ロッド２２に対するスクリーン１６の巻回回数を増減させてスクリーン１６の全長の長さを調整する。即ち、この実施の形態では、スクリーン１６の他端を１．５回巻回させた図３（ｃ）に示す通常の状態の取付ロッド２２を座溝２１に収容しているので、スクリーン１６の長さが足りなくなった場合には、図３（ｂ）に示すように、取付ロッド２２に対するスクリーン１６の巻回回数を減少させて取付ロッド２２に巻回されている以外の部分におけるスクリーン１６の全長の長さを増加させる。一方、スクリーン１６の長さが長すぎた場合には、図３（ｄ）に示すように、取付ロッド２２に対するスクリーン１６の巻回回数を増加させて取付ロッド２２に巻回されている以外の部分におけるスクリーン１６の全長の長さを減少させる。このようにスクリーン１６の全長の長さを調整した後、上記と同様の手順により取付ロッド２２を座溝２１に再び収容してスクリーン１６の長さを比較的容易に調整する。
【００３５】
なお、上述した実施の形態では、横断面が長方形状を有する取付ロッド２２を代表して説明したが、この取付ロッド２２は、横断面が長円形状又は楕円形状を成す棒状部材であっても良い。
また、上述した実施の形態では、ロールブラインド１０における支持バー１１に形成された座溝２１に取付ロッド２２を介してスクリーン１６の他端を固定する場合を説明したが、ロールブラインド１０における巻き取りロッド１３に形成された座溝１３ａにスクリーン１６の一端を固定する場合に適用しても良い。
更に、上述した実施の形態では、支持バー１１を天井１０ｂに取付ける場合を説明したが、図６に示すように、支持バー１１は壁面に取付けるようにしても良い。
【図面の簡単な説明】
【００３６】
【図１】本発明実施形態のロールブラインドを示す図４の上部における拡大断面図である。
【図２】その座溝にスクリーンの他端が巻回された取付ロッドを収容させる手順を示す断面図である。
【図３】その取付ロッドにスクリーンの他端を巻回させる手順を示す断面図である。
【図４】そのロールブラインドを示す図５のＡ−Ａ線断面図である。
【図５】そのロールブラインドの斜視図である。
【図６】その支持バーが壁面に取付けられたロールブラインドを示す図４に対応する断面図である。
【符号の説明】
【００３７】
１０  ロールブラインド
１１  支持バー
１３  巻き取りロッド
１６  スクリーン
１８  スクリーン固定部材
１９  バー本体
２１  座溝
２１ａ  一方の係止片
２１ｂ  他方の係止片
２２  取付ロッド
２４  離脱テープ
２６  カバー部材
Ｙ  取付ロッドの横断面における長径
Ｗ  座溝の幅
Ｘ  取付ロッドの横断面における短径
Ｄ  座溝の深さ
ｍ  一方の係止片の幅
ｎ  他方の係止片の幅
Ｈ  一方の係止片と他方の係止片の間隔
ｈ  カバー部材と他方の係止片との間隔
【図１】
0005111035.tif 000002
【図２】
0005111035.tif 000003
【図３】
0005111035.tif 000004
【図４】
0005111035.tif 000005
【図５】
0005111035.tif 000006
【図６】
0005111035.tif 000007